(57)【要約】【課題】従来、携帯通信情報端末を利用した監視システムにおいては、携帯通信情報端末によって施設内に設置した監視装置を操作して映像を取得し、最新の画像を携帯通信情報端末に表示し、異常時においては画像を携帯通信情報端末に送信するなどして施設の所有者に異常を知らせる仕組みとなっていた。最新画像だけでは判断がつかない状況をクリアするためには画像の蓄積情報が必要となってくる。【解決手段】前記目的を達成するために、請求項１の発明は、施設中の任意の場所に配置した監視装置で撮影保存した画像を、携帯通信情報端末上で画像を検索閲覧することが出来る様に、一定時間間隔で撮影した画像を施設外に設置の専用サーバーに顧客単位で蓄積し、携帯通信情報端末から専用サーバーのコンテンツに接続することで可能となる。なんらかの変化を検出した場合顧客はリアルタイムにその変化を即時に電子メールで受け取り、文章と画像によって認識できることを特徴とする遠隔監視装置によって解決される。【選択図】    図１
2005253025.tif 000002
【特許請求の範囲】
【請求項１】
施設中の任意の位置に配置した複数台のカメラの映像を静止画像に変換する変換装置と、撮影範囲内のなんらかの変化を検出する異常検出装置と、カメラ切替装置と、データを受理する制御装置と、制御装置からのデータを受理する専用サーバーと、専用サーバーに蓄積された静止画を常時接続型データ通信回線に接続し画像を検索及び表示させる監視システムであって、撮影時に画像の種類を表す記号と制御装置に予め付与した顧客番号と日付と時間を表す数字によって構成されるファイル名称を自動的に付与するステップと、一定時間毎に撮影するステップと、異常検出装置からの信号によって撮影した画像を顧客の携帯通信情報端末の電子メールへ通知するステップと、専用サーバーに蓄積の画像を携帯通信情報端末で検索及び表示するステップと、一定時間内の記憶装置に蓄積の画像を別の一定時間経過後に一括削除するステップと、顧客データを一括管理するステップを備えた特徴を持つ遠隔監視方法。
【請求項２】
手動の検出装置を接続すると、予め指定されたメールアドレスへのメール送信を以って、正常な状態からの変化を知らせる手段とすることが出来る特徴を持つ請求項１に記載の監視方法。
【請求項３】
カメラの被写体を別の情報に替え、携帯通信情報端末の所定のコンテンツ上に画像を表示させることによって、不特定多数の携帯通信情報端末使用者へ情報をもたらす請求項１又は２の遠隔監視方法。
【請求項４】
制御装置においてカメラからの映像を常時判断させて変化があったときを異常と認識し、その瞬間の画像を撮影、顧客の携帯通信情報端末へ撮影された画像を専用サーバーに蓄積するのと同時に、電子メールに添付して送信するという特徴を持つ請求項１に記載の遠隔監視方法。
【発明の詳細な説明】
【技術分野】
【０００１】本発明は、施設を遠隔監視するシステムに関し、より詳細には、携帯通信情報端末を利用し所定の施設を監視するシステムに関する技術。
【背景技術】
【０００２】従来、下記特許文献１のような携帯通信情報端末を利用した監視システムにおいては、携帯通信情報端末によって施設内に設置した監視装置を操作して映像を取得し、最新の画像を携帯通信情報端末に表示し、異常時においては画像を携帯通信情報端末に送信するなどして施設の所有者に異常を知らせる仕組みとなっている。
【特許文献１】特開２００２−１５３９０
【発明の開示】
【発明が解決しようとする課題】
【０００３】従来の監視システムの場合、最新の画像を見るだけで、それ以前の画像を保存することは行っていない。少なくとも２４時間以内の画像を複数蓄積し、検索閲覧することによって得られるさまざまな効果が期待できる。
本発明においては施設外部の撮影範囲内に変化が起きた場合、携帯電話を含む各種携帯通信情報端末を利用し、離れた場所で変化を認識することが可能であり、また検索機能を利用することで、最新画像の前、つまり過去の画像と比較することによって、正常な状態にあっては問題の無い事を、異常時には変化の起こる以前の状態を画像によって確認することができる。
【課題を解決するための手段】
【０００４】前記目的を達成するために、請求項１の発明は、施設中の任意の場所に配置した監視装置で撮影した画像を、携帯通信情報端末上で画像を検索閲覧することが出来る他、変化を検出した場合は撮影した画像をリアルタイムに電子メールで受け取り、文章と画像によって認識できることを特徴とする遠隔監視装置によって解決される。
【発明の効果】
【０００５】以上説明したように時間や場所に制約されることなく、携帯通信情報端末で顧客の当該施設に設置した監視システムによって監視が容易に行える他、異常時には変化の内容を文章と画像で的確に判断することが出来る。
【発明を実施するための最良の形態】
【０００６】以下添付図面に従って、本発明に係る遠隔監視装置の好ましい実施の形態について詳説する。基本は通常の撮影においては図１及び図４に示すフローチャートの流れに沿って動作するものである。図１のＰＣカメラ１の場合はＵＳＢコネクタによってパソコンに接続される仕様のもので、制御装置２、１台に対しＰＣカメラ１を１台使用するものである。図２の場合はＣＣＤカメラ１６を４台までカメラ切替器に接続し、静止画変換装置１５を介し制御装置２に接続される。また異常検出装置４はカメラごとに信号ケーブル１１で接続し、当該の異常検出装置４がなんらかの異常検出したときは当該のカメラに自動的に切り替わり、撮影を制御装置に指示する信号を送出することが出来る。撮影された画像データには、「通常撮影画像」を示す記号と、パソコン用画像か携帯通信情報端末用画像かを区別する記号と、顧客番号と、撮影された日付と、時刻とを羅列したファイル名称が付与される。この画像データは制御装置２の内部記憶装置に一時的に保存される。公衆電話回線に接続し、専用サーバーへ画像伝送された後で、先に保存してあった画像データを削除する。これによって監視装置が故障若しくは盗難の被害にあっても画像データは専用サーバー６に一定期間保存されているので情報を保護することが出来る特徴を持つ。【０００７】異常時の撮影においては図１の異常検出装置４が、例えばドアの開閉によってスイッチが入るものや、人感センサーなどが信号を送出したときに、ＰＣカメラ１若しくは図２のＣＣＤカメラ１６が撮影する。撮影された画像データには前述と同じようにファイル名称が作成される。「異常時画像」を示す記号によって「通常時画像」と区別される。また、同時に携帯通信情報端末８で利用できる電子メールアドレスに対し、異常検出装置４によって変化があったことを、撮影された画像を添付して送信する。【０００８】携帯通信情報端末８の種類によっては表示できる画像のサイズが異なり、携帯通信情報端末８においてはパソコンで表示できる画像サイズの１０分の１程度の大きさである。そこで画像の大きさをパソコンで表示するものと携帯通信情報端末８で表示するものの２つ保存するものとした。図４に示すように公衆電話回線５に接続し、専用サーバー６へ画像伝送を行った画像はファイル名称に記載の顧客番号と、予め専用サーバー６に登録の顧客データと照合し、顧客専用のフォルダに格納される。監視装置には顧客ごとに番号を予め付与するものとする。第三者への情報漏洩防止と顧客一括管理を目的とする。ログインＩＤと暗証番号は顧客が登録時、任意に付与することによって、管理者においても情報の閲覧が行われないように個人の情報を守ることができる。また、図７のように顧客はログインＩＤと暗証番号を入力することによって、当該の画像選択画面、図８を開くことが可能となる。
画面選択を行うと図９のような操作画面となり、年月日と時間を指定することによって過去の画像を表示できる。【０００９】携帯通信情報端末８の種類又は製造者によっては画像の表示可能サイズが異なり、専用サーバー６に接続した時点で機器の種類を判別し、適切な画像サイズのデータを送出することが出来る特徴を持つ。【００１０】表示並びに検索閲覧においては顧客が閲覧専用ＵＲＬによって専用コンテンツを開くと最新の画像を最初に表示する。日時を指定し、検索すると画像を表示でき、更にその前後の画像を連続して表示することが出来る特徴を持つ。画像の保存は最大４８時間とし、４８時間を越えた時点で２４時間以前のデータを一括削除し、サーバー容量がオーバーフローすることを防止する。【００１１】新規登録の顧客情報は専用サーバーに登録される。登録の内容は、顧客番号、ログインＩＤ、暗証番号、顧客氏名、メールアドレスであって、登録後は課金収受についての未済、監視システムの使用可否を付加して管理できる。顧客登録データへのアクセスは管理者専用のログインＩＤと暗証番号によって守られる。また、サーバーの上位には独自のファイアウォールを設けることによって不正アクセスを防止し専用サーバーの情報を保護している。
【実施例１】
【００１２】図３のように、ＣＣＤカメラ１６はカメラ切替器１４によって最大４台のＣＣＤカメラを一定時間間隔毎に自動で切替えて撮影することが出来、ＣＣＤカメラ１６は同軸ケーブル１７によって接続され最大１００メートル程度の長さで使用することが可能である為、面積の広い施設や屋外などにカメラを設置することが可能である。また特殊なＣＣＤカメラを使用することで、照明装置が全く無く照度ゼロの場所であっても撮影が可能なほか、水中カメラ、防滴カメラなどを使用することで屋外に設置できるので、当該施設の車庫、庭先、勝手口、玄関、建設現場などの監視が行える。店舗などでは営業中の万引き防止のほか、夜間閉店後の侵入者監視などへの使用が好ましい。
【実施例２】
【００１３】図２においてカメラ切替器１４から映像ケーブル１８を使って一般視聴用テレビなどの映像入力端子に分岐接続することによってカメラの撮影画像を表示することが出来るので、顧客が施設内にいるときにもテレビを監視用画面に使用することも出来る。
【実施例３】
【００１４】身障者や要介護者に向けカメラを設置し、当該の本人が呼び鈴代わりに異常検出装置４を操作した時に、その状態を撮影し遠隔地の顧客又は管理者にメール送信をすることが出来る。
【実施例４】
【００１５】監視装置としての利用方法だけではなく、プレゼンテーションツールとして利用することも可能である。例えば食品関係の店舗にて日替わり商品をカメラの前に置き紹介する方法である。携帯通信情報端末８で表示する為の店舗専用コンテンツを作成しておけば、店先に赴かなくても、売れ残り商品や特売品の情報をリアルタイムに顧客へ届けることが可能である。商品に限らず手書きの文字も携帯通信情報端末の小さな画面で読むことが可能なので店舗のリアルタイムな広告としても有効である。
【実施例５】
【００１６】本監視システムは常時接続が可能なデータ通信回線が必要であるが、場合によっては特定省電力型通信装置によってもサーバーに接続できるので、屋外や通信回線を引き込む事が出来ない場所においても使用が可能である。但し屋外使用時において本システムは精密機械なので、強固な防水ケースに制御装置、カメラ切替器などを収納することが必要不可欠である。
【図面の簡単な説明】
【００１７】
【図１】本発明の基本構成図
【図２】本発明のＣＣＤカメラ使用時の構成図
【図３】本発明の動作フローチャート
【図４】監視装置からサーバーまでの流れを表すフローチャート
【図５】顧客携帯通信情報端末でサーバー上の画像を閲覧するフローチャート
【図６】警報フローチャート
【図７】ログイン画面
【図８】画面選択画面
【図９】操作画面
【符号の説明】
【００１８】  １．ＰＣカメラ
２．制御装置
３．ブロードバンドモデム
４．異常検出装置
５．公衆電話回線及びインターネット網
６．専用サーバー
７．顧客所有ＰＣ
８．顧客所有携帯通信情報端末
９．携帯通信情報端末基地局
１０．ＵＳＢケーブル
１１．信号ケーブル
１２．通信ケーブル
１３．通信回線
１４．カメラ切替器
１５．静止画変換装置
１６．ＣＣＤカメラ
１７．同軸ケーブル
１８．映像ケーブル
１９．メールサーバー
２０．一般視聴用テレビ
【図１】
2005253025.tif 000003
【図２】
2005253025.tif 000004
【図３】
2005253025.tif 000005
【図４】
2005253025.tif 000006
【図５】
2005253025.tif 000007
【図６】
2005253025.tif 000008
【図７】
2005253025.tif 000009
【図８】
2005253025.tif 000010
【図９】
2005253025.tif 000011